(57)【要約】【課題】樹脂製の燃料タンクであっても容易に対応して固定することができ、構造が簡単であり、異なる車両にも簡単に対応して固定できるようにした。【解決手段】操向バーハンドル１０と跨座乗り型着座シート１４との間から上方へ膨出するタンク型部材１２に取付ける跨座乗り型車両用バッグ１８において、タンク型部材１２の上面に密着する底面と、この底面の周縁に設けた複数の本体側カップラ半体２０と、一端に前記本体側カップラ半体２０に着脱可能なアダプタ側カップラ半体２０がまた他端にタンク型部材１２の表面に吸着する吸着部材４８が取付けられた複数の吸着アダプタ４４と、を備える。【選択図】図１
2008302835.tif 000002
【特許請求の範囲】
【請求項１】
操向バーハンドルと跨座乗り型着座シートとの間から上方へ膨出するタンク型部材に取付ける跨座乗り型車両用バッグにおいて、
前記タンク型部材の上面に密着する底面と、この底面の周縁に設けた複数の本体側カップラ半体と、
一端に前記本体側カップラ半体に着脱可能なアダプタ側カップラ半体がまた他端に前記タンク型部材の表面に吸着する吸着部材が取付けられた複数の吸着アダプタと、を備えることを特徴とする跨座乗り型車両用バッグ。
【請求項２】
吸着アダプタの吸着部材を永久磁石とした請求項１の跨座乗り型車両用バッグ。
【請求項３】
吸着アダプタの吸着部材を吸盤とした請求項１の跨座乗り型車両用バッグ。
【請求項４】
請求項１において、複数の本体側カップラ半体に対応する数の吸着部材を吸盤とした複数の吸着アダプタと、複数の本体側カップラ半体に対応する数の吸着部材を永久磁石とした複数の吸着アダプタとを選択可能とした請求項１の跨座乗り型車両用バッグ。
【発明の詳細な説明】
【技術分野】
【０００１】
この発明は、自動二輪車などで操向バーハンドルと跨座乗り型着座シートの間に燃料タンクなどのタンク型部材を持つ跨座乗り型車両に用いるバッグに関するものである。
【背景技術】
【０００２】
自動二輪車では、操向バーハンドルと跨座乗り型着座シートとの間に燃料タンクを備えるものが多い。この燃料タンクに取付け可能としたバッグも公知である。
【０００３】
【特許文献１】特開平０７−２２３５７２
【特許文献２】特開２００６−２９８０９０
【特許文献３】特開２００４−１８９０４２
【０００４】
特許文献１には袋状のバッグの前方および左右両側方に舌片を設け、これらの舌片に内蔵した永久磁石を燃料タンクに吸着させることによってバッグを装着するものが示されている。特許文献２には、燃料タンクの上部に着脱する単車用ツーリングバッグであって、永久磁石を内蔵する左右一対の取付片を燃料タンク上部に取付けるものが示されている。特許文献３には、燃料タンクのキャップ取付台座に支持具を取付け、この支持具にバッグ底面を保持するものが示されている。
【発明の開示】
【発明が解決しようとする課題】
【０００５】
特許文献１，２に示された従来のものはいずれも永久磁石を用いてバッグを燃料タンクに固定するものであった。近年樹脂製の燃料タンクも使用されるようになったが、この燃料タンクには磁石が吸着しないため使えないという問題がある。
【０００６】
また特許文献３に示されたものは燃料タンクのキャップ取付台座に支持具を固定するため構造が複雑であり、またこのバッグを別の車両に取付けようとしてもこの別の車両に同じ支持具が予め固定してなければ使えない、という問題がある。
【０００７】
この発明はこのような事情に鑑みなされたものであり、樹脂製の燃料タンクであっても容易に対応して固定することができ、構造が簡単であり、異なる車両にも簡単に対応して固定できるようにした跨座乗り型車両用バッグを提供することを目的とする。
【課題を解決するための手段】
【０００８】
本発明によればこの目的は、操向バーハンドルと跨座乗り型着座シートとの間から上方へ膨出するタンク型部材に取付ける跨座乗り型車両用バッグにおいて、前記タンク型部材の上面に密着する底面と、この底面の周縁に設けた複数の本体側カップラ半体と、一端に前記本体側カップラ半体に着脱可能なアダプタ側カップラ半体がまた他端に前記タンク型部材の表面に吸着する吸着部材が取付けられた複数の吸着アダプタと、を備えることを特徴とする跨座乗り型車両用バッグ、により達成される。
【発明の効果】
【０００９】
バッグ底面の周縁に設けた複数の本体側カップラ半体に、吸着アダプタを着脱可能にしたから、吸着アダプタとしてタンク型部材に適合したものを採用することにより材質などが異なるタンク型部材にも容易に対応して固定することができる。またタンク型部材の材質が異なる車両であっても吸着アダプタを変更するだけで対応できる。
【発明を実施するための最良の形態】
【００１０】
本発明に係るバッグの購入者は、自分の車両のタンク型部材に適合する吸着アダプタを組合せて購入する。例えば鉄製の燃料タンクであれば磁石式の吸着部材を持つ吸着アダプタを組合せる（請求項２）。また樹脂製の燃料タンクであれば吸盤式の吸着アダプタを組合せる（請求項３）。
【００１１】
タンク型部材は燃料タンクに限られるものではない。例えば操向バーハンドルと着座シートとの間にエアクリーナや、荷物収納箱を配設し、これらを上から覆うカバーを取付けた車両では、このカバーをタンク型部材としてここに取付けるバッグであってもよい。バッグには磁石式の吸着アダプタおよび吸盤式の吸着アダプタを組合せてセットにしたものであってもよい（請求項４）。この場合はバッグを異なる車両に取付ける際に車両のタンク型部材に対応した吸着アダプタを選択して使用することができる。
【実施例１】
【００１２】
図１は本発明の一実施例の使用状態を示す斜視図、図２はバッグの底面を示す斜視図、図３はバッグの平面図、図４は吸着アダプタを示す図である。
【００１３】
図１において符号１０は自動二輪車であり、操向バーハンドル１０の後方に鉄製の燃料タンク１２および跨座式着座シート１４が順に連続して配列されている。すなわち操向バーハンドル１０と着座シート１４の間に、上方へ向かって膨出するタンク型部材としての燃料タンク１２が位置する。燃料タンク１２の下方にはエンジン１６が搭載されている。
【００１４】
１８は本発明に係るバッグである。このバッグ１８は燃料タンク１２の上面に乗る大きさであり、平面視で略四角形である。バッグ１８の底面の四隅にはそれぞれ硬質樹脂製の本体側カップラ半体２０が取付けられている。この本体側カップラ半体２０は後記吸着アダプタ４４のアダプタ側カップラ半体２２と対となってカップラ２４を形成する。
【００１５】
次にカップラ２４の構成を説明する。本体側カップラ半体２４は、図４に示すように、一端にベルト２６が接続され他端に長方形の着脱口２８を持つ略箱型であり、両側面に切欠き部３０，３０が形成されている。アダプタ側カップラ半体２２は、先端にこの本体側カップラ半体２０の着脱口２８に進入可能な一対の係合爪３２，３２と、これら係合爪３２，３２の間に位置するガイドピン３４とを持つ。
【００１６】
ガイドピン３４は、本体側アダプタ半体２０の内面に突設したガイド（図示せず）に案内され、アダプタ側カップラ半体２２の横方向（着脱口２８の長手方向）の位置決めをする。アダプタ側カップラ半体２２の係合爪３２，３２，ガイドピン３４を本体側カップラ半体２０の着脱口２８に挿入すると、係合爪３２，３２が本体側カップラ半体２０の切欠部３０，３０に係合して両半体２０，２２が結合する。またこの結合状態で、使用者が指先で切欠部３０，３０に臨む係合爪３２，３２を押込めば、係合爪３２，３２が切欠部３０，３０から外れアダプタ側カップラ半体２２を本体側カップラ半体２０から切り離すことができる。
【００１７】
本体側カップラ半体２０に接続されたベルト２６は、バッグ１８の底面の四隅付近に固定される。すなわちこのベルト２６は図４に示すように、保護パッド３６とベルト２６とバッグ底面とを貫通するボルト３８，ナット４０によってバッグ底面に固定される。保護パッド３６はベルト２６，本体側カップラ半体２０と燃料タンク１２との間に介在して、ベルト２６，本体側カップラ半体２０が燃料タンク１２を傷付けるのを防ぐ。本体側カップラ半体２０はこのように本体底面の四隅付近から外側へ突出するように固定される。
【００１８】
なおバッグ１８の底面には保護布４２が張られている。この保護布４２は図２に示すように、左右の側縁４２ａが本体底面に縫い止められる一方、上下の側縁４２ｂ、４２ｂが本体の上下面に折り込まれて自在着脱テープ（図示せず）で固定されている。保護布４２の四隅は本体側アダプタ半体２０，ベルト２６，保護パッド３６を通すために切欠かれている。また保護布４２の中央付近はバッグ底面に十字型に縫い止められ、保護布４２の中央付近が本体底面から浮き上がるのを防止している。
【００１９】
次に吸着アダプタ４４を説明する。吸着アダプタ４４は図４に示すように、アダプタ側カップラ半体２２にベルト４６により接続された吸着部材４８を備える。吸着部材４８は、吸盤５０を用いたものと、永久磁石５２を用いたものとがある。吸盤５０は適度な柔軟性を持った樹脂製であり、吸盤５０とベルト４６との間には保護板５４が介在し、吸盤５０が傷付くのを防いでいる。永久磁石５２は保護布５６の中に収納された状態でベルト４６に固定されている。ベルト４６の長さはアダプタ側カップラ半体２２側の結合部で調節可能である。
【００２０】
この吸着アダプタ４４は、バッグ１８を取付ける対象である燃料タンク１２の材質によって永久磁石５２を持つもの（永久磁石式）と吸盤５０を持つもの（吸盤式）とのいずれかを選択して用いる。すなわち鉄製の燃料タンク１２であれば永久磁石式の４個のアダプタ４４を各本体側カップラ半体２０に結合する。そして図１に示すようにバッグ１８を燃料タンク１２に載せて、永久磁石式の吸着部材４８を燃料タンク１２に固定する。燃料タンク１２が樹脂製であれば吸盤式の４個のアダプタ４４を各本体側カップラ半体２０に結合して、同様に燃料タンク１２に固定する。
【００２１】
バッグ１８を燃料タンク１２から取外して手に下げて運ぶ時には、４つのアダプタ４４を本体から取外し、自在テープで本体の上下面に固定された保護布４２の上下の側縁４２ｂ、４２ｂを開いて、底面と保護布４２との間に本体側カップラ半体２０および保護パッド３６を収納する。そして保護布４２の上下の側縁４２ｂ、４２ｂを本体の上下面の自在着脱テープに貼り付ければよい。
【図面の簡単な説明】
【００２２】
【図１】本発明の一実施例の使用状態を示す斜視図
【図２】バッグ底面を示す斜視図
【図３】バッグの平面図
【図４】吸着アダプタを示す図
【符号の説明】
【００２３】
１０  操向バーハンドル
１２  燃料タンク（タンク型部材）
１４  跨座乗り型着座シート
１８  バッグ
２０  本体側カップラ半体
２２  アダプタ側カップラ半体
２４  カップラ
２６  ベルト
４４  吸着アダプタ
４８  吸着部材
５０  吸盤
５２  永久磁石
【図１】
2008302835.tif 000003
【図２】
2008302835.tif 000004
【図３】
2008302835.tif 000005
【図４】
2008302835.tif 000006